(57)【要約】【課題】自装置の背面側に設けられた構成ユニットを容易に交換できる表示装置を提供する。【解決手段】本発明に係る液晶テレビ１は、像を表示するための表示パネル２を有し、この表示パネル２の背面側の所定位置に、メンテナンス時に交換対象となる構成ユニット（メイン基板３１、ＢＤ／ＤＶＤ／ＨＤＤユニット３２、電源基板３３、インバータ基板３４）が複数設けられている。表示パネルの背面側を覆う背面板３を備え、背面板３は、構成ユニットが設けられている位置それぞれと対応する位置に開口部４０ａ〜４０ｄと、開口部４０ａ〜４０ｄを覆う蓋部４１ａ〜４１ｄと、を有し、蓋部４１ａ〜４１ｄは、背面板３に着脱可能に取り付けられる。【選択図】図１
2011075854.tif 000002
【特許請求の範囲】
【請求項１】
像を表示するための表示パネルを有し、この表示パネルの背面側の所定位置に、メンテナンス時に交換対象となる構成要素の組み合わせである構成ユニットが複数設けられた表示装置であって、
上記構成ユニットが設けられた上記表示パネルの背面側を覆う背面板を備え、
上記背面板は、複数の上記構成ユニットのうちの少なくとも１つの構成ユニットが設けられている位置と対応する位置に、該構成ユニットの外形に応じた形状に開口した開口部と、
上記開口部を覆う蓋部と、を有し、
上記蓋部は、上記背面板に着脱可能に取り付けられることを特徴とする表示装置。
【請求項２】
上記蓋部における当該表示装置の外側の面を外面、該外面と反対側の面であり当該表示装置の内側の面を内面とすると、
上記構成ユニットを、上記蓋部の内面に設けることを特徴とする請求項１に記載の表示装置。
【請求項３】
上記表示パネルを所定の高さで支持するための支持部材を備え、
上記支持部材は、上記背面板における所定の位置に取り付けられており、
上記開口部は、上記支持部材の上記背面板における取り付け位置と重ならない位置に形成されていることを特徴とする請求項１または２に記載の表示装置。
【請求項４】
上記表示パネルが液晶表示パネルであることを特徴とする請求項１から３のいずれか１項に記載の表示装置。
【請求項５】
上記蓋部は、ビスによって上記背面板に取り付けられており、
上記ビスは、上記蓋部を背面板に取り付けるとともに、該蓋部が覆う開口部に応じた位置に配置される構成ユニットを当該表示装置内において固定することを特徴とする請求項１から４のいずれか１項に記載の表示装置。
【発明の詳細な説明】
【技術分野】
【０００１】
本発明は、像を表示するための表示パネルを有し、この表示パネルの背面側の所定位置に複数の構成ユニットが設けられた表示装置に関する。
【背景技術】
【０００２】
近年、液晶ディスプレイ、有機ＥＬディスプレイ、またはプラズマディスプレイ等の薄型表示装置が普及している。このような薄型表示装置では、その装置の構造上、駆動用チップ等を実装する基板は、表示パネルの背面側に設けられることとなる。例えば、液晶ディスプレイでは、液晶パネル、バックライト、駆動回路などを薄型パッケージに収めたＬＣＤモジュールの裏面に駆動用チップを実装した基板が配置されている。
【０００３】
このため、基板の交換は、薄型表示装置の背面側に設けられた背面板（バックキャビネット）を薄型表示装置の本体部から取り外して行われる。
【０００４】
ところで、近年では、薄型表示装置の大型化に伴い背面板も大きくなっている。このため、基板交換を行うために背面板を薄型表示装置本体から取り外す作業はかなりの重労働となっている。特に、薄型表示装置を所定の高さ位置に支持するためのスタンドが背面板に取り付けてある場合、このスタンドを取り外した上で背面板の取り外しを行う必要がある。さらには、例えば図５に示すように、背面板を取り外す場合、ビス１０２ａ〜１０２ｃの４本と、ビス１０３の１本と、ビス１０４ａ〜１０４ｋの１１本との合計１６本のビスを取り外さなければならない。このように、基盤交換作業は作業員にとって非常にわずらわしいものとなっている。なお、図５は、従来技術を示すものであり、背面板の取り付け状態の一例を示す図である。
【０００５】
作業者への労力負担の軽減を目的に、特許文献１では、盤面側で基板を跨ぐブリッジ状の基板取り付け部材を備え、この基板取り付け部材に上記基板とは異なる別の基板を取り付けることができるように構成した基板取り付け構造が開示されている。この基板取り付け構造は、基板取り付け部材に開口が設けられており、別の基板がこの開口を覆うように取り付けられる。このため、この別の基板を取り除くことで盤面を露出することができる。
【先行技術文献】
【特許文献】
【０００６】
【特許文献１】特開２００６−１３６４２８号公報（２００６年６月１日公開）
【発明の概要】
【発明が解決しようとする課題】
【０００７】
しかしながら、上述のような従来技術は、背面板を取り外すことなく、自装置の背面側の所定位置に設けられた構成ユニットを容易に交換可能とすることができないという問題がある。
【０００８】
具体的には、特許文献１は、異なる基板を２段に重ねて配置する構成に関するものであり、薄型表示装置のように異なる回路基板を表示装置の背面側にそれぞれ所定の位置に配置した構成に対応するものではない。さらには、特許文献１は、表示装置の背面全体が背面板で覆われた構成に関するものではない。すなわち、表示装置の背面側が背面板で覆われた構成において、回路基板等の構成ユニットを容易に交換することができるものではない。
【０００９】
本発明は、上記の問題点に鑑みてなされたものであり、その目的は、背面板を取り外すことなく、自装置の背面側の所定位置に設けられた構成ユニットを容易に交換可能とする表示装置を実現することにある。
【課題を解決するための手段】
【００１０】
本発明に係る表示装置は、上記した課題を解決するために、像を表示するための表示パネルを有し、この表示パネルの背面側の所定位置に、メンテナンス時に交換対象となる構成要素の組み合わせである構成ユニットが複数設けられた表示装置であって、上記構成ユニットが設けられた上記表示パネルの背面側を覆う背面板を備え、上記背面板は、複数の上記構成ユニットのうちの少なくとも１つの構成ユニットが設けられている位置と対応する位置に、該構成ユニットの外形に応じた形状に開口した開口部と、上記開口部を覆う蓋部と、を有し、上記蓋部は、上記背面板に着脱可能に取り付けられることを特徴とする。
【００１１】
上記構成ユニットは、メンテナンス時に交換対象となる構成要素の組み合わせであり、例えば、表示装置を構成するメイン基板、電源回路基板等の回路基板や、Ｂｒｕ−Ｒａｙディスクレコーダユニットなど表示装置に内蔵された装置等が挙げられる。
【００１２】
また、上記開口部の上記構成ユニットの外形に応じた形状とは、この構成ユニットを当該表示装置から取り出すことができる程度に開口させた、該構成ユニットの外形に対応した形状である。
【００１３】
上記構成によると、開口部が形成された背面板と、この開口部を覆う蓋部とを備えるため、この蓋部を背面板から取り外すことにより、構成ユニットを露出させることができる。また、開口部が構成ユニットの外形に応じた形状を有するため、表示装置に内蔵された構成ユニットを、該表示装置本体から外部に容易に取り出すことができる。
【００１４】
したがって、背面板全体を表示装置本体から取り外すことなく構成ユニットの交換を行うことができ、作業員のメンテナンスに係る負担を低減できる。
【００１５】
よって、本発明に係る表示装置は、自装置の背面側に設けられた構成ユニットを容易に交換できるという効果を奏する。
【００１６】
また、本発明に係る表示装置は、上記した構成において、上記蓋部における当該表示装置の外側の面を外面、該外面と反対側の面であり当該表示装置の内側の面を内面とすると、上記構成ユニットを、上記蓋部の内面に設けてもよい。
【００１７】
上記した構成によると、背面板と着脱可能な蓋部の内面に構成ユニットが設けられているため、この蓋部を背面板から取り外すだけで、構成ユニットを容易に表示装置本体から外部に取り出すことができる。
【００１８】
したがって、背面板を取り外すことなく構成ユニットを容易に表示装置から取り外し、交換することができる。
【００１９】
また、本発明に係る表示装置は、上記した構成において、上記表示パネルを所定の高さで支持するための支持部材を備え、上記支持部材は、上記背面板における所定の位置に取り付けられており、上記開口部は、上記支持部材の上記背面板における取り付け位置と重ならない位置に形成されていることが好ましい。
【００２０】
上記構成によると、上記開口部が上記支持部材の上記背面板における取り付け位置と重ならない位置に形成されているため、構成ユニットを交換する際、支持部材を取り外す工程を省略することができる。
【００２１】
したがって、表示装置が支持部材を備える構成であっても、構成ユニットの交換に必要な工数が増大することがない。
【００２２】
本発明に係る表示装置は、上記した構成において、上記表示パネルが液晶表示パネルであってもよい。
【００２３】
また、本発明に係る表示装置は、上記した構成において、上記蓋部は、ビスによって上記背面板に取り付けられており、上記ビスは、上記蓋部を背面板に取り付けるとともに、該蓋部が覆う開口部に応じた位置に配置される構成ユニットを当該表示装置内において固定するように構成されていてもよい。
【００２４】
上記した構成によると、蓋部を取り付けるビスが構成ユニットを表示装置内において固定するためのビスとしても利用されるため、表示装置を組み立てるために必要なビスの数を低減させることができる。
【００２５】
したがって、部品点数を低減させることができるため表示装置の組み立てにかかるコストを抑制することができる。さらには、蓋部の取り外しと構成ユニットの取り外しとを一度に行うことができるため作業者の労力を低減させることもできる。
【発明の効果】
【００２６】
本発明に係る表示装置は、以上のように、像を表示するための表示パネルを有し、この表示パネルの背面側の所定位置に、メンテナンス時に交換対象となる構成要素の組み合わせである構成ユニットが複数設けられた表示装置であって、上記構成ユニットが設けられた上記表示パネルの背面側を覆う背面板を備え、上記背面板は、複数の上記構成ユニットのうちの少なくとも１つの構成ユニットが設けられている位置と対応する位置に、該構成ユニットの外形に応じた形状に開口した開口部と、上記開口部を覆う蓋部と、を有し、上記蓋部は、上記背面板に着脱可能に取り付けられることを特徴とする。
【００２７】
よって、本発明に係る表示装置は、自装置の背面側に設けられた構成ユニットを容易に交換できるという効果を奏する。
【図面の簡単な説明】
【００２８】
【図１】本発明の実施形態を示すものであり、液晶テレビが備える背面板の概略構成を示す図である。
【図２】本発明の実施形態を示すものであり、液晶テレビを背面側から見た斜視図である。
【図３】本発明の実施形態を示すものであり、蓋部の外観形状の一例を示す図である。
【図４】本発明の実施形態を示すものであり、背面板を表示パネル側からみた場合の概略図である。
【図５】従来技術を示すものであり、背面板の取り付け状態の一例を示す図である。
【発明を実施するための形態】
【００２９】
本発明の一実施形態について図１ないし図４に基づいて説明すると以下の通りである。すなわち、図２に示すように、本実施の形態に係る液晶テレビ１は、像を表示するための表示パネル２の背面側において、その背面を覆って保護するための背面板３が設けられている。なお、背面板３において、液晶テレビ１の外側の面を背面板外面、内側、すなわち、メイン基板３１、ＢＤ／ＤＶＤ／ＨＤＤユニット３２、電源基板３３、およびインバータ基板３４が設けられている側の面を背面板内面と称することとする。
【００３０】
また、背面板３は、ビス２０ａ〜２０ｋ、ビス５１ａ〜５１ｄ、ビス２１ｂ、２１ｃによって液晶テレビ１の本体部に取り付けられている。さらには、この背面板３と液晶テレビ１の本体部とを挟みこむようにスタンド５が設けられている。このスタンド５は、ビス２１ｂ、２１ｃによって液晶テレビ１の本体部に取り付けられている。
【００３１】
図２は本発明の実施形態を示すものであり、液晶テレビ１を背面側から見た斜視図である。
【００３２】
次に、図１を参照して、本実施の形態に係る液晶テレビ１の背面板３の構成について詳細に説明する。図１は本発明の実施形態を示すものであり、液晶テレビ１が備える背面板３の概略構成を示す図である。なお、この図１は、液晶テレビ１を背面側から見た図である。すなわち、図１は、表示パネル２が備えられている面とは反対側の面を示す。
【００３３】
図１に示すように、本実施の形態に係る液晶テレビ１では、表示パネル２の背面側に、メイン基板３１、ＢＤ／ＤＶＤ／ＨＤＤユニット３２、電源基板３３、およびインバータ基板３４等の構成ユニットが設けられている。
【００３４】
メイン基板３１は、液晶テレビ１の各部についての各種動作を制御するための制御回路が形成された基板である。
【００３５】
ＢＤ／ＤＶＤ／ＨＤＤユニット３２は、Ｂｌｕ−ＲＡＹ  Ｄｉｓｃ（ブルーレイディスク）、ＤＶＤディスクまたはハードディスクに記録されたデータを再生したり、データをブルーレイディスク、ＤＶＤディスクまたはハードディスクに記録したりする記録再生ユニットである。
【００３６】
電源基板３３は、電源回路が形成された基板である。
【００３７】
インバータ基板３４は、バックライト照明用のインバータ回路が形成された基板である。
【００３８】
当然、液晶テレビ１の表示パネル２の背面には、上述したメイン基板３１、ＢＤ／ＤＶＤ／ＨＤＤユニット３２、電源基板３３、およびインバータ基板３４以外の構成ユニットも設けられている。しかしながら、本実施形態では、液晶テレビ１において故障発生時に交換する可能性が高い構成ユニットの一例としてメイン基板３１、ＢＤ／ＤＶＤ／ＨＤＤユニット３２、電源基板３３、およびインバータ基板３４を挙げて説明することとする。また、これら各構成ユニットは、図１において特に図示しないが、表示パネル２の背面側に設けられたフレームにそれぞれビス止めされ、動かないように固定されている。
【００３９】
背面板３は、各液晶テレビ１と１対１で対応するようになっており、背面板３を装着する液晶テレビ１を識別するためのシリアル番号が付されたラベル（モデルラベル５０）が貼り付けられている。すなわち、液晶テレビ１の製造工程における仕上げ段階では、液晶テレビ１の本体とその背面板３とを一対として管理する必要があるために、背面板３にモデルラベル５０が貼り付けられる。
【００４０】
また、背面板３は、図１に示すように、表示パネル２の背面側において各構成ユニットの配置に応じた位置に開口部４０ａ、４０ｂ、４０ｃ、４０ｄが設けられている。すなわち、メイン基板３１、ＢＤ／ＤＶＤ／ＨＤＤユニット３２、電源基板３３、およびインバータ基板３４等の構成ユニットの配置と略一致する位置に、各構成ユニットの外形形状全体が露出する程度、つまり外形形状よりもやや大きい開口部４０ａ、４０ｂ、４０ｃ、４０ｄが設けられている。なお、この開口部４０ａ、４０ｂ、４０ｃ、４０ｄの形状は、表示パネル２の背面側に設置された構成ユニットを取り出すことができる程度に開口した、該構成ユニットの外形形状に対応した形状であればよい。ただし、上述したように、液晶テレビ１と背面板３とを一対として管理するためのモデルラベル５０の貼り付け位置にはこの開口部が形成されないようにする必要がある。また、開口部は、スタンド５の取り付け位置と重ならない位置に設ける。このように、スタンド５の取り付け位置と重ならない位置に開口部４０ａ、４０ｂ、４０ｃ、４０ｄを設けることで、メイン基板３１、ＢＤ／ＤＶＤ／ＨＤＤユニット３２、電源基板３３、またはインバータ基板３４等の構成ユニットを交換する際、スタンド５を液晶テレビ１の本体部から取り外す必要がなくなり、構成ユニットの交換に必要な工数を低減させることができる。
【００４１】
また、背面板３は、上記した開口部４０ａ、４０ｂ、４０ｃ、４０ｄを覆って塞ぐための蓋部４１ａ、４１ｂ、４１ｃ、４１ｄを備えている。すなわち、メイン基板３１、ＢＤ／ＤＶＤ／ＨＤＤユニット３２、電源基板３３、およびインバータ基板３４等の構成ユニットそれぞれに応じた位置に設けられた開口部４０ａ、４０ｂ、４０ｃ、４０ｄを蓋部４１ａ、４１ｂ、４１ｃ、４１ｄそれぞれによって覆い、各構成ユニットが外部に曝されないように構成されている。なお、メイン基板３１に対応する蓋部４１ａのみ、メイン基板３１に設けられた外部端子４を露出させるように開口が形成されている。
【００４２】
なお本明細書では、蓋部４１ａ、４１ｂ、４１ｃ、４１ｄにおいて、液晶テレビ１の外側の面を蓋部外面、その内側の面、すなわち、メイン基板３１、ＢＤ／ＤＶＤ／ＨＤＤユニット３２、電源基板３３、およびインバータ基板３４が設けられている側の面を蓋部内面と称することとする。
【００４３】
次に、蓋部４１ａ、４１ｂ、４１ｃ、４１ｄの形状および背面板３への取り付け方法について図３を参照して説明する。なお、図３ではＢＤ／ＤＶＤ／ＨＤＤユニット３２に対応する蓋部４１ｂを示しており、この蓋部４１ｂを例に挙げてその形状と、背面板３への取り付け方法を説明する。したがって、特に説明はしないが、蓋部４１ａ、４１ｃ、４１ｄについても蓋部４１ｂと同様の構成を有し、同様にして背面板３に取り付けられるものとする。なお、図３は本発明の実施形態を示すものであり、蓋部４１ｂの外観形状の一例を示す図である。
【００４４】
図３に示すように蓋部４１ｂは、ビス５１ｂによって背面板３に取り付けるためのネジ穴６１と、背面板３に差し込んで固定するために利用する、２つの突出部６２ａ、６２ｂとを備えている。
【００４５】
一方、背面板３の背面板内面において、図４に示すように開口部近傍には、蓋部４１ｂが備える突出部６２ａ、６２ｂをそれぞれ差し込んではめることができるようにするための挿嵌部６３ａ、６３ｂが形成されている。図４は、本発明の実施形態を示すものであり、背面板３を表示パネル２側からみた場合の概略図である。言い換えると図４に示す背面板３は、液晶テレビ１においてメイン基板３１、ＢＤ／ＤＶＤ／ＨＤＤユニット３２、電源基板３３、およびインバータ基板３４が設けられている側の面（背面板内面）について示している。この背面板内面では、蓋部４１ｂに備えられた突出部６２ａ、６２ｂを液晶テレビ１における上から下（すなわち、スタンド５の接地面に向かう方向、鉛直方向の下向きに）にスライドさせて差し込むことができるようにするため、挿嵌部６３ａ、６３ｂが設けられている。
【００４６】
このため、本実施の形態に係る液晶テレビ１では、蓋部４１ｂを背面板３に取り付ける場合、まず、突出部６２ａ、６２ｂを挿嵌部６３ａ、６３ｂにスライドさせてはめ込む。そして、蓋部４１ｂにおいて突出部６２ａ、６２ｂが設けられている側とは逆側の辺近傍に形成されたネジ穴６１を通じてビス５１ｂを背面板３に固定することができる。このように、１つのビス５１ｂだけで蓋部４１ｂを背面板３に取り付けることができるため、取り付けに必要な部品点数および作業工程数を減らすことができる。
【００４７】
また、この蓋部４１ａ〜４１ｄそれぞれを背面板３に取り付けるためのビス５１ａ〜５１ｄを、各構成ユニットを表示パネル２の背面側に取り付けるためにも使用している。このため、背面板３に複数の蓋部４１ａ〜４１ｄを設ける構成であっても、液晶テレビ１を組み立てるために必要なビス数を低減させることができる。
【００４８】
したがって、部品点数を低減させることができるため、液晶テレビ１の組み立てにかかるコストを抑制することができる。さらには、蓋部４１ａ〜４１ｄの取り外しと、構成ユニットの取り外しとを一度に行うことができるため作業者の労力を低減させることもできる。
【００４９】
このように、本実施の形態に係る液晶テレビ１は、その本体部において開口部４０ａ〜４０ｄが形成された背面板３と、これら開口部４０ａ〜４０ｄを覆う蓋部４１ａ〜４１ｄとを備える構成である。このため、この蓋部４１ａ〜４１ｄをそれぞれ必要に応じて背面板３から取り外すことにより、各構成ユニットを露出させることができる。また、開口部４０ａ〜４０ｄそれぞれが各構成ユニットの外形に応じた形状を有するため、液晶テレビ１に内蔵された構成ユニットを、外部に容易に取り出すことができる。
【００５０】
したがって、背面板３全体を液晶テレビ１の本体から取り外すことなく各構成ユニットの交換を行うことができ、作業員のメンテナンスに係る負担を低減できる。
【００５１】
なお、上記では蓋部４１ｂが備える突出部６２ａ、６２ｂを背面板３に嵌め合わせ１本のビス５１ｂで固定する構成であった。しかしながら背面板３に爪部が複数設けられ、蓋部４１ｂを背面板３に嵌め合わせ、爪部によって蓋部４１ｂを背面板３に係止させる構成としてもよい。この構成の場合、蓋部４１ｂを背面板３に取り付けるためのビスが不要となる。
【００５２】
また、上記したメイン基板３１、ＢＤ／ＤＶＤ／ＨＤＤユニット３２、電源基板３３、およびインバータ基板３４は、液晶テレビ１の大きさに関係なく同様のサイズとなる。このため、蓋部４１ａ〜４１ｄは、他の液晶テレビにおいても利用することができ、部品の共通化を図ることもできる。
【００５３】
なお、上記では、液晶テレビ１の表示パネル２の背面側に備える部材のうち、メイン基板３１、ＢＤ／ＤＶＤ／ＨＤＤユニット３２、電源基板３３、およびインバータ基板３４の配置に対応して背面板３に開口部４０ａ〜４０ｄを設ける構成であった。しかしながら、開口部の数はこれらに限定されるものではなく、メイン基板３１に対応した開口部だけであってもよいし、さらに他の部材の配置に対応した位置に開口部が設けられていても良い。すなわち、各構成ユニットについてメンテナンス時に交換する確率と背面板３に求められる強度と、開口を形成したり蓋部を形成したりするためのコストとを考慮し、適切に開口部の数を決定することが好ましい。
【００５４】
また、上記したメイン基板３１、ＢＤ／ＤＶＤ／ＨＤＤユニット３２、電源基板３３、およびインバータ基板３４等の構成ユニットは、表示パネル２の背面側に設けられたフレームにそれぞれビス止めされ、動かないように固定される構成であった。しかしながらこれら各構成ユニットが設けられる場所はこれに限定されるものではなく、蓋部４１ａ〜４１ｄそれぞれの内面上に設けられる構成であってもよい。
【００５５】
このような構成の場合、背面板３から着脱可能な蓋部４１ａ〜４１ｄの内面上に構成ユニットが設けられているため、この蓋部４１ａ〜４１ｄを背面板３から取り外すだけで、各構成ユニットを容易に液晶テレビ１の本体から外部に取り出すことができる。
【００５６】
なお、本実施形態では、表示パネル２が液晶パネルである液晶テレビの場合について説明したが、表示パネル２は液晶パネルに限定されるものではない。例えば、表示パネル２は、有機ＥＬ表示パネルであってもよいし、プラズマディスプレイパネルであってもよい。
【００５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５８】
本発明は、背面板により覆われた内部に複数の構成ユニットが配置されている表示装置に広く適用することができる。
【符号の説明】
【００５９】
１  液晶テレビ（表示装置）
２  表示パネル
３  背面板
５  スタンド（支持部材）
３１  メイン基板（構成ユニット）
３２  ＢＤ／ＤＶＤ／ＨＤＤユニット（構成ユニット）
３３  電源基板（構成ユニット）
３４  インバータ基板（構成ユニット）
４０ａ  開口部
４０ｂ  開口部
４０ｃ  開口部
４０ｄ  開口部
４１ａ  蓋部
４１ｂ  蓋部
４１ｃ  蓋部
４１ｄ  蓋部
５０  モデルラベル
５１ａ  ビス
５１ｂ  ビス
５１ｃ  ビス
５１ｄ  ビス
６２ａ  突出部
６２ｂ  突出部
６３ａ  挿嵌部
６３ｂ  挿嵌部
【図１】
2011075854.tif 000003
【図２】
2011075854.tif 000004
【図３】
2011075854.tif 000005
【図４】
2011075854.tif 000006
【図５】
2011075854.tif 000007